(57)【要約】【課題】  手動によるトリップ動作、及び電圧を印加することによるトリップ動作の両方ができると共に、必要に応じて手動操作のみによるトリップ動作する方式の遮断器に変更できる回路遮断器を提供する。【解決手段】  手動によりトリップ操作できるように配設されたトリップボタン４を有する遮断器本体１と、この遮断器本体１の筺体３の外面に装着されると共に、所定の信号により作動するアーマチュア７５を有し、このアーマチュア７５と一体的に形成された連動片７５aがトリップボタン4に係合し、上記アーマチュア７５の作動にトリップボタン４が連動するようになされた電圧引外し装置２とにより構成される。【選択図】図４
2006092782.tif 000002
【特許請求の範囲】
【請求項１】
操作ハンドルにより可動接点と固定接点を開閉できるようになされた開閉機構と、所定値を超過した電流により上記開閉機構をトリップさせる過電流引外し装置と、上記開閉機構及び過電流引外し装置を収納し、かつ、上記操作ハンドルを前面側に突出させた筺体と、一端が上記過電流引外し装置のトリップ機構に係合し、他端は上記筺体の外面から手動によりトリップ操作できるように配設されたトリップボタンを有する遮断器本体と、
上記遮断器本体の筺体外側面に装着されると共に、所定の信号による電磁石部の付勢により作動するようになされた作動レバーを有し、上記作動レバーが上記トリップボタンに係合して上記作動レバーの作動に上記トリップボタンが連動するようになされた電圧引外し装置とを備えてなる回路遮断器。
【請求項２】
電圧引外し装置は、上記電圧引外し装置の外周の前端面が、遮断器本体の筐体の前端面よりも前に出ないように装着したことを特徴とする請求項１記載の回路遮断器。
【請求項３】
遮断器本体の筐体に対する電圧引外し装置の装着手段は、着脱自在のあり継ぎもしくはあり継ぎと同類の方式による装着手段にしたことを特徴とする請求項１または請求項２記載の回路遮断器。
【発明の詳細な説明】
【技術分野】
【０００１】
この発明は、配線用遮断器や漏電遮断器などの回路遮断器に関し、特に、外部から電圧を印加してトリップ動作させる電圧引外し装置を備えた回路遮断器に関するものである。
【背景技術】
【０００２】
従来の回路遮断器は、遮断器に対して、外部から電圧を印加してトリップ動作させる電圧引外し装置を装着する場合、遮断器に電圧引外し装置を装着するための専用のスペースを設けて、遮断器と電圧引外し装置が一体的になるように構成されていた。従って、通常、電圧引外し装置を装着した後に補助カバーなどにより電圧引外し装置を覆うように構成されていた。（例えば、特許文献１参照）
また、上記の回路遮断器に関連し、手動によりトリップ動作させるトリップボタンを筐体の表面に配設し、このトリップボタンを操作することにより、筐体内に収納した開閉機構部を作動させ可動接点を固定接点から開離させるように構成したものの必要性が知られている。（例えば、特許文献２参照）
【０００３】
【特許文献１】特開平６−１３９９０１号公報（図５、図６）
【特許文献２】特開平１１−３０６９５２号公報（図１、図２）
【発明の開示】
【発明が解決しようとする課題】
【０００４】
従来の回路遮断器は以上のように構成されているので、外部から電圧を印加してトリップ動作させる電圧引外し装置を備える方式の遮断器の場合は、電圧引外し装置を装着するための専用のスペースが必要であり、このスペースのために遮断器の内部の構造・部品配置などに制約を受けることになるなどの問題点があった。
電圧引外し装置がなく、手動によりトリップ動作させる手段のみを備えた遮断器の場合は、遮断器から離れた場所から電気信号によりトリップ動作をさせる、いわゆる遠隔操作が出来ないという問題点がある。
この対応として手動操作のためのトリップボタンと電圧引外し装置の両方を備える構造にすることが考えられるが、このための構成は、電圧引外し装置を装着するスペースのために遮断器の内部の構造・部品配置などに制約を受ける上に、トリップボタンの配置も必要であり、従って、構造上複雑になるなどの問題点もあった。
【０００５】
この発明は、上述のような課題を解決するためになされたもので、手動によるトリップ動作、及び、電圧を印加することによるトリップ動作の両方ができると共に、必要に応じて手動操作のみによるトリップ動作する方式の遮断器に変更することが容易で、製品の在庫管理上など実用的な回路遮断器を得ることを目的としている。
【課題を解決するための手段】
【０００６】
そして、本発明は上記目的を達成するために、操作ハンドルにより可動接点と固定接点を開閉できるようになされた開閉機構と、所定値を超過した電流により上記開閉機構をトリップさせる過電流引外し装置と、開閉機構及び過電流引外し装置を収納し、かつ、開閉機構の操作ハンドルを前面側に突出させた筺体と、一端が上記過電流引外し装置のトリップ機構に係合し、他端は筺体の外面から手動によりトリップ操作できるように配設されたトリップボタンとを有する遮断器本体と、上記遮断器本体の筺体外側面に装着されると共に、所定の信号による電磁石部の付勢により作動するようになされた作動レバーを有し、この作動レバーがトリップボタンに係合し、作動レバーの作動にトリップボタンが連動するようになされた電圧引外し装置とを備えたものである。
【発明の効果】
【０００７】
上述したように本発明の回路遮断器によれば、遮断器本体において、一端が過電流引外し装置のトリップ機構に係合し、他端は筺体の外面から手動によりトリップ操作できるように配設されたトリップボタンとを有し、上記遮断器本体の筺体外側面に着脱できるように装着されると共に、所定の信号による電磁石部の付勢により作動するようになされた作動レバーを有し、この作動レバーがトリップボタンに係合し、作動レバーの作動にトリップボタンが連動するようになされた電圧引外し装置とを備えた構成により、手動によるトリップ動作、及び電圧を印加することによるトリップ動作の両方ができると共に、必要に応じて手動操作のみによりトリップ動作する方式の遮断器に変更できる実用的な回路遮断器を提供できる。
【発明を実施するための最良の形態】
【０００８】
以下、本発明の実施の形態を図１ないし図５に基づいて説明する。
【０００９】
実施の形態１．
図１は、この発明を実施するための実施の形態１における回路遮断器の斜視図、図２は電圧引外し装置を装着する前の斜視図、図３は電圧引外し装置の斜視図、図４は図１のＡ−Ａ線における断面図、図５はトリップボタンの拡大斜視図である。
【００１０】
図１ないし図５において、回路遮断器１００は、遮断器本体１と、遮断器本体１の筺体外側面に装着された電圧引外し装置２により構成されている。遮断器本体１の外周は、合成樹脂材製の筺体３により形成されている。なお、筺体３はベース３１とカバー３２により構成されている。筺体３には、周知のように、操作ハンドル１１により可動接点と固定接点を開閉できるようになされた開閉機構（図示せず）、及び、所定値を超過した電流により上記開閉機構をトリップさせる過電流引外し装置（図示せず）などが内蔵されている。
【００１１】
４はトリップボタンであり、例えば熱可塑性合成樹脂材を用いて図５に示すように形成されている。このトリップボタン４の一端には手動押圧部４１が形成され、図１あるいは図４に示すように、筺体３の外面から手動操作できるように配設されている。他端のトリップ機構係合部４２は、例えば、図４に示すように過電流引外し装置における周知のトリップ機構例えばトリップバー５に係合し、手動押圧部４１を手動で押圧操作したときトリップバー５が作動するようになされている。中間部の作動レバー係合部４３は、筺体３の側面において後述の電圧引外し装置２の作動レバー７５と係合するようになされている。６はトリップバー５を作動させた後にトリップボタン４をもとの位置にもどすための復帰ばねである。
【００１２】
電圧引外し装置２は、図３、図４に示すように、合成樹脂材製の筺体２１の内部に、電磁石部７及び電磁石部７に電力を供給するために配設された電圧供給端子２２，２３などが収納されている。電磁石部７は電圧供給端子２２，２３から供給された電圧に基づいて磁束を発生するコイル７１、コイル７１で発生した磁束が鎖交して磁化されるヨーク７２、磁化されたヨーク７２により、押ばね７３の付勢力に抗して吸引駆動されるプランジャ７４、プランジャ７４に固着され、前述のトリップボタン４の作動レバー係合部４３に係合される作動レバー７５などにより構成されている。なお、作動レバー７５には、トリップボタン４の作動レバー係合部４３に正確に係合するために作動レバー７５と一体的に連動片７５aが形成されている。この連動片７５aは、図３に示すように筺体２１から突出している。そして、遮断器本体１のカバー３２に設けられた係合孔３３（図２）から内部のトリップボタン４の作動レバー係合部４３に係合するようになされている。
【００１３】
遮断器本体１に対する電圧引外し装置２の装着は各種の手段がある。例えば、遮断器本体１と電圧引外し装置２を箱枠に嵌込んで装着する手段、あるいは、接合金具を用いて装着する手段など考えられるが、図２及び図３に示すようにあり継ぎ式の装着が適当である。
即ち、図２において、３４は筺体３に設けられたあり溝、図３において、２１aは電圧引外し装置２の筺体２１に設けられたあり桟であり、このあり溝３４にあり桟２１aを上方からスライドさせて装着することにより、着脱自在のあり継ぎ式の装着がなされる。この装着によれば、あり溝３４及びあり桟２１aは、合成樹脂材製の筺体３及び筺体２１と一体的にモールド成型することができるので製作が容易である。なお、あり溝３４及びあり桟２１aは、同類の方式（例えばT形溝とT形桟による継ぎ）であってもよい。また、電圧引外し装置２の大きさによっては、あり継ぎ式の装着だけでは安定した装着が得られない場合がある。この場合は、取付けねじ、あるいは、係止金具などを加えて安定した装着にする。
【００１４】
以上のように構成されたこの発明の実施の形態１における回路遮断器１００は、手動によるトリップ動作の場合は、筐体３の前面に露出したトリップポタン４の手動押圧部４１を復帰ばね６の付勢力に抗して押圧すると図４においてトリップバー５が矢印Ｂ方向に移動し図示しない開閉機構が動作し、可動接点と固定接点の開離により電路を開路させる。
また、遠隔操作によるトリップ動作の場合には、操作場所からの信号線により電圧供給端子２２，２３に電圧を印加すると、供給された電圧に基づいてコイル７１が磁束を発生する。コイル７１で発生した磁束がヨーク７２と鎖交し、発生した磁束に基づいて押ばね７３の付勢力に抗してプランジャ７４を吸引駆動して、プランジャ７４に固着された作動レバー７５が矢印Ｃ方向に移動する。この移動により作動レバー７５の連動片７５aがトリップボタン４の作動レバー係合部４３を押圧し、トリップバー５が矢印Ｂ方向に移動する。この移動により図示しない開閉機構が動作し可動接点を固定接点から開離させて電路を開路させる。
【００１５】
以上のように、この発明の実施の形態１における回路遮断器１００は、手動によるトリップ動作及び、電圧を印加することによるトリップ動作が容易になされる。また、遮断器本体１と電圧引外し装置２を容易に分離できるので、必要に応じて手動操作のみによるトリップ動作する方式の遮断器に変更することも可能であるなど実用性が高い回路遮断器が得られる。
【００１６】
実施の形態２．
上記実施の形態１の構成において、電圧引外し装置２は、遮断器本体１の筐体３の外側面に装着されている。この構成において、電圧引外し装置２の外周の前端面が、遮断器本体１の筐体３の前端面よりも前に出ないように装着すれば、回路遮断器１００を配電盤などに装着する場合において、装着が容易で外観上の見栄えが良い。
【図面の簡単な説明】
【００１７】
【図１】この発明の実施の形態１を示す回路遮断器の斜視図である。
【図２】遮断器本体に電圧引外し装置を装着する前の状態を示す斜視図である。
【図３】電圧引外し装置の斜視図である。
【図４】図１のＡ−Ａ線における断面図である。
【図５】トリップボタンの拡大斜視図である。
【符号の説明】
【００１８】
１００  回路遮断器、
１      遮断器本体、
２      電圧引外し装置、
３      筺体
４      トリップボタン、
７      電磁石部、
７５    作動レバー、
７５a   連動片。
【図１】
2006092782.tif 000003
【図２】
2006092782.tif 000004
【図３】
2006092782.tif 000005
【図４】
2006092782.tif 000006
【図５】
2006092782.tif 000007